(57)【要約】【目的】  オンスクリーン表示回路を備えることなしにバージョン情報を簡単にモニタ上に表示することができるビデオカメラを提供する。【構成】  ビデオカメラ１において、マニュアルホワイトバランスが選択されているとき、ユーザが操作したボリューム（ＲＧＡＩＮ  ＶＲ）１２及びボリューム（ＢＧＡＩＮ  ＶＲ）１３の電圧値に基づき、ホワイトバランスがコントロールされる。通常、ボリューム１２・１３の位置が最大の部分や最小の部分で使われることはない。そこで、ボリューム１２・１３の最大近傍値或いは最小近傍値をマイコン１４に対するバージョン表示指令とする。マイコン１４は、バージョン表示指令を認識すると、当該指令を受けたときに出力するものと予め定められている色表示のための色ゲイン制御を行う。【選択図】        図１
2005348276.tif 000002
【特許請求の範囲】
【請求項１】
マイクロコンピュータからの指令に基づいて色のゲインをコントロールして映像信号を出力する信号処理回路を備えたビデオカメラにおいて、前記マイクロコンピュータは自己のバージョンを示すための色情報を備え、バージョン表示指令を受けたときに前記色情報に基づいて所定色表示を行うように構成されたことを特徴とするビデオカメラ。
【請求項２】
請求項１に記載のビデオカメラにおいて、自己のバージョン表示として単一色を表示することを特徴とするビデオカメラ。
【請求項３】
請求項１に記載のビデオカメラにおいて、自己のバージョン表示として二以上の色の組合せを表示することを特徴とするビデオカメラ。
【請求項４】
請求項２又は請求項３に記載のビデオカメラにおいて、自己のバージョンを表す色表示と共に各バージョンを表す色を表示することを特徴とするビデオカメラ。
【請求項５】
請求項１に記載のビデオカメラにおいて、自己のバージョン表示として二以上の色を時間的に切り替える表示を行うことを特徴とするビデオカメラ。
【請求項６】
請求項１乃至請求項５のいずれかに記載のビデオカメラにおいて、撮像により得られた映像信号に対して、前記色情報に基づいて色のゲインを変化させるように構成されたことを特徴とするビデオカメラ。
【請求項７】
請求項１乃至請求項５のいずれかに記載のビデオカメラにおいて、撮像によらずに生成した白色相当の映像信号に対して、前記色情報に基づいて色のゲインを変化させるように構成されたことを特徴とするビデオカメラ。
【請求項８】
請求項１乃至請求項７のいずれかに記載のビデオカメラにおいて、マニュアルホワイトバランスのゲイン調整用のボリュームが右回り又は左回りに略目一杯回されたかどうかを判断する手段を備え、略目一杯回されたと判断したときにバージョン表示指令を受けたと認識するように構成されたことを特徴とするビデオカメラ。
【発明の詳細な説明】
【技術分野】
【０００１】
この発明は、監視カメラなどに用いられるビデオカメラに関する。
【背景技術】
【０００２】
図５及び図６は監視カメラなどして用いられる従来のビデオカメラの概略構成を示したブロック図である。図５に示すビデオカメラ５０では、セットキー５１の押下を検出したマイコン５２が自己のバージョンを示す文字情報をオンスクリーン表示回路５３に与える。オンスクリーン表示回路５３は前記文字情報に対応した文字を表示することになる映像信号を生成し、この映像信号を受けた信号処理回路５４によって外部モニタ７０の画面にバージョンが文字表示される。また、図６に示すビデオカメラ５０は、ＲＳ−２３２Ｃなどの通信インターフェイス７１を用いて外部のパソコン７２等に接続できるように構成されている。外部のパソコン７２等には専用のソフトがインストールされており、マイコン５２との間で通信を行ってバージョン情報を取得し、パソコン７２等の画面にバージョンを表示する。なお、バージョン情報を保持するカメラを開示するものとして、下記の特許文献１がある。
【特許文献１】特開平８−２６５６８３号公報
【発明の開示】
【発明が解決しようとする課題】
【０００３】
しかしながら、上記オンスクリーン表示回路５３を備える構成では、その分コスト高になる。一方、パソコン７２等の画面にバージョンを表示させるのでは、カメラキャビネットを分解して通信インターフェイス７１を接続するなどの手間が必要になる。
【０００４】
この発明は、上記の事情に鑑み、オンスクリーン表示回路を備えることなしにバージョン情報を簡単にモニタ上に表示することができるビデオカメラを提供することを目的とする。
【課題を解決するための手段】
【０００５】
この発明のビデオカメラは、上記の課題を解決するために、マイクロコンピュータからの指令に基づいて色のゲインをコントロールして映像信号を出力する信号処理回路を備えたビデオカメラにおいて、前記マイクロコンピュータは自己のバージョンを示すための色情報を備え、バージョン表示指令を受けたときに前記色情報に基づいて所定色表示を行うように構成されたことを特徴とする。
【０００６】
上記の構成であれば、バージョン情報は色により表現されるので、オンスクリーン表示回路を備えることなしにバージョン情報を簡単に（パソコン等に接続することなく）、モニタ上に表示することができる。
【０００７】
上記構成のビデオカメラにおいて、自己のバージョン表示として単一色を表示してもよい。或いは、自己のバージョン表示として二以上の色の組合せを表示してもよい。また、自己のバージョンを表す色表示と共に各バージョンを表す色を表示してもよい。或いは、自己のバージョン表示として二以上の色を時間的に切り替える表示を行うようにしてもよい。
【０００８】
これら構成のビデオカメラにおいて、撮像により得られた映像信号に対して、前記色情報に基づいて色のゲインを変化させるように構成されていてもよい。或いは、撮像によらずに生成した白色相当の映像信号に対して、前記色情報に基づいて色のゲインを変化させるように構成されていてもよい。
【０００９】
また、これら構成のビデオカメラにおいて、マニュアルホワイトバランスのゲイン調整用のボリュームが右回り又は左回りに略目一杯回されたかどうかを判断する手段を備え、略目一杯回されたと判断したときにバージョン表示指令を受けたと認識するように構成されていてもよい。マニュアルホワイトバランス機能は通常のカラーカメラには存在する機能であり、バージョン表示指令のために別途スイッチ等を設けることがスペース的に困難である場合などに有利となる。
【発明の効果】
【００１０】
この発明によれば、バージョン情報を色により表現することとしたので、オンスクリーン表示回路を備えることなしにバージョン情報を簡単に（パソコン等に接続することなく）、モニタ上に表示することができるという効果を奏する。また、バージョン情報を色により表現するので、特定の人間しかバージョンを知ることができないといった利点が得られる。
【発明を実施するための最良の形態】
【００１１】
（実施形態１）
以下、この発明の第１の実施形態におけるビデオカメラを図１に基づいて説明する。
【００１２】
ビデオカメラ１の筐体には、オートマチックホワイトバランス（ＡＷＢ）とマニュアルホワイトバランス（ＭＷＢ）とを切り替えるためのＡＷＢ／ＭＷＢ切替スイッチ１１と、赤色（Ｒ）のゲインを調整するボリューム（ＲＧＡＩＮ  ＶＲ）１２と、青色（Ｂ）のゲインを調整するボリューム（ＢＧＡＩＮ  ＶＲ）１３と、が設けられている。
【００１３】
ボリューム１２・１３の出力は、マイコン１４のＡ／Ｄ変換ポートに入力される。また、マイコン１４はＡＷＢ／ＭＷＢ切替スイッチ１１の信号を得てオートマチックかマニュアルかを判断する。信号処理回路１５は図示しないＣＣＤからの撮像信号を入力して映像信号を生成し、外部モニタ１６に供給する。また、信号処理回路１５はマイコン１４からの指令に応じて赤色（Ｒ）のゲイン（ＲＧＡＩＮ）や青色（Ｂ）のゲイン（ＢＧＡＩＮ）をコントロールする。
【００１４】
ビデオカメラ１において、オートマチックホワイトバランスが選択されているとき、色信号にかけるＲＧＡＩＮとＢＧＡＩＮが自動的にコントロールされ、白い色は常に適切な白に自動的に調節される。一方、マニュアルホワイトバランスが選択されているとき、ユーザが操作したボリューム（ＲＧＡＩＮ  ＶＲ）１２及びボリューム（ＢＧＡＩＮ  ＶＲ）１３の電圧値に基づき、ホワイトバランスがコントロールされる。
【００１５】
通常、ボリューム１２・１３が最大や最小で使われることはない。そこで、ボリューム１２・１３の最大近傍値或いは最小近傍値をマイコン１４に対するバージョン表示指令とする。具体的には、マイコン１４は、例えば、ボリューム１２の第１電圧値Ｖと、比較電圧である第２電圧値ｖとを比較する。ここで、ボリューム１２が時計回りに略目一杯回されたときの出力電圧値をＶ１とし、反時計回りに略目一杯回されたときの出力電圧値をＶ２とする（Ｖ１＞Ｖ２）。第２電圧値ｖは、Ｖ１に近い値であり且つ、ｖ＜Ｖ１に設定される。マイコン１４は、ｖ＜Ｖとなったときに、バージョン表示指令であると認識する。
【００１６】
マイコン１４は、バージョン表示指令を認識すると、当該指令を受けたときに出力するものと予め定められている色の情報を出力する。例えば、色信号にかけるＲＧＡＩＮを１００とし、ＢＧＡＩＮを０とする色の情報を信号処理回路１５に与える処理を行う。ここで、作業者は当該ビデオカメラ１に白色板を撮像させる。また、作業者は、色とバージョン番号とを対応つけた表が印刷されている作業手引きを持っているものとする。本来であれば、外部モニタ１６の画面は、前記白色板の色である白色となるのであるが、上記のごとく、色信号にかけるＲＧＡＩＮを１００とし、ＢＧＡＩＮを０としたことで、外部モニタ１６の画面には赤色がかった色が表示される。作業者は作業手引きの表中の色と画面色とを対比することで、マイコンバージョンを知るところとなる。
（実施形態２）
以下、この発明の第２の実施形態におけるビデオカメラを図２乃至図４に基づいて説明する。なお、第１の実施形態と同一の構成要素には同一の符号を付記してその説明を省略する。
【００１７】
図２において、信号処理回路１７にはタイミング作成回路が設けられており、これら回路は一つのＩＣとして構成されている。上記タイミング作成回路により、画面を幾つかの領域に分けて各領域に色付けを行うことができる。図３に信号処理回路１７の具体的構成を示す。エリア作成機能部１７ｄは、垂直カウンタ１７ｆと水平カウンタ１７ｅからのカウント値によってエリアを作成する。例えば、水平ラインのドット数を仮に２００とし、１００カウントごとに色を変える（カウント値に基づいて所定色のゲイン変更を行う）とすれば、画面の左半分と右半分で異なる色の二領域が作成されることになる。どのカウント値においてどのゲイン値とするかはマイコン１４が指令する。ＲＧＢマトリクス回路１７ａは、実施形態１と同様に白色板の撮像による輝度信号と色差信号（例えば、ＹＵＶ）を入力し、ＲＧＢ信号を生成する。ＲＧＢゲイン回路１７ｂは、エリア作成機能部１７ｄから供給されるゲイン値に基づいてＲＧＢ信号のゲインを変える。色差マトリクス回路１７ｃは、ゲインが変更されたＲＧＢ信号を入力して輝度信号と色差信号（例えば、ＹＵＶ）を出力する。
【００１８】
上記の処理により、例えば、図４に示すような複数の色エリアを画面表示することができる。なお、図では「赤」といった文字を表示しているが、実際には文字ではなく色が表示される。中央にはマイコン１４のバージョンを示す色が表示される。中央以外の周囲の色エリアは各マイコン（バージョンが異なるマイコン）において共通であり、中央の色のみがマイコン１４のバージョンによって異なることとなる。ここで、例えば、画面左上の色領域を「バージョン１」、その右の色領域を「バージョン２」のごとく、「１」ずつバージョンが高いとする取決めをしておく。この場合、画面の中央エリアが「水色」であれば、マイコンバージョンは「Ｖｅｒ．６」であると判断することができる。すなわち、マイコン１４はバージョン表示指令を受けたときに出力するものと予め定められている色の情報に加えて、他のバージョン表示のための色の情報及びエリア作成のためのカウンタ値情報を持っている。
【００１９】
前述のごとく、白色板の撮像による輝度信号と色差信号を入力する場合、白色板の白色度によっては画面色の色温度が変化する。従って、実施形態１では作業者が画面色の判定を誤るおそれがある。これに対し、実施形態２では、色温度が変化したとしても、中央エリアの「水色」と周囲の色エリアの「水色」は同じように変化するため、作業者が色判定を誤るおそれは無くなる。
【００２０】
なお、これら実施形態１，２においては、マイコンバージョンを一色で表すこととしたが、これに限るものではない。例えば、「赤」「青」「黒」の組合せはバージョン１、「赤」「青」「白」の組合せはバージョン２、「青」「赤」「黒」の組合せはバージョン３のごとくすれば、より多くのバージョンを表現できることになる。また、色の時間的な組合せとしてもよい。例えば、「赤」を２秒間表示し、次に「青」を２秒間表示し、次に「白」を２秒間表示すると、バージョン１であるといった取決めをすることもできる。作業者は作業手引きを見てバージョンを判断することになる。
【００２１】
また、上記実施形態では、白色板を撮像させた例を示したが、これに限るものではない。例えば、信号処理回路１５，１７は、ＣＣＤからの入力を遮断して独自にＲＧＢ信号を発生し、これらＲＧＢ信号において白色に相当する値を持たせてＲＧＢゲイン回路１７ｂに入力するようにすればよい。勿論、信号処理回路１５，１７が出力する独自のＲＧＢ信号においてバージョンを表す色となる値を持たせ、この色が変化しないように色のゲインを設定することとしてもよし、或いは、ボリューム１２（又は１３）が略目一杯回されたときのゲイン値による色変化によってバージョンを表す所定色が作成されるように、前記独自のＲＧＢ信号を生成してもよいものである。
【００２２】
また、上記実施形態では、ボリューム等の既存の入力部を利用してマイコン１４にバージョン表示指令を与えることとしたので、新たにスイッチ等を設けることを回避できる利点がある。ただし、これに限るものではなく、別途スイッチ等を設けることとしてもよい。
【図面の簡単な説明】
【００２３】
【図１】この発明の実施形態１のビデオカメラの構成を示したブロック図である。
【図２】この発明の実施形態２のビデオカメラの構成を示したブロック図である。
【図３】図２の信号処理回路の具体的構成例を示したブロック図である。
【図４】バージョンの画面表示例を示した説明図である。
【図５】従来のビデオカメラの構成を示したブロック図である。
【図６】従来のビデオカメラの構成を示したブロック図である。
【符号の説明】
【００２４】
１    ビデオカメラ
１１  ＡＷＢ／ＭＷＢ切替スイッチ
１２  ボリューム（ＲＧＡＩＮ  ＶＲ）
１３  ボリューム（ＢＧＡＩＮ  ＶＲ）
１４  マイコン（マイクロコンピュータ）
１５  信号処理回路
１６  外部モニタ
１７  信号処理回路
【図１】
2005348276.tif 000003
【図２】
2005348276.tif 000004
【図３】
2005348276.tif 000005
【図４】
2005348276.tif 000006
【図５】
2005348276.tif 000007
【図６】
2005348276.tif 000008